(57)【要約】【課題】情報量の増大に対応可能であり、しかも、装置全体の低コスト化及び利用者に対する利便性の向上を実現することが可能な改札機及び改札方法を提供することを目的とする。【解決手段】機体外の所定の読取エリアにおいて改札処理に必要な改札情報に対応した二次元コードを光学的に読み取るスキャナ６と、投入口から機体内に向けて投入された券媒体から改札処理に必要な改札情報に対応した二次元コードを光学的に読み取るスキャナ２８と、これらのスキャナ６またはスキャナ２８により読み取られた二次元コードに基づいて改札処理を行うことを特徴とする。【選択図】      図４
2007149012.tif 000002
【特許請求の範囲】
【請求項１】
機体外の所定の読取エリアにおいて、改札処理に必要な改札情報に対応した二次元コードを光学的に読み取る第１読取手段と、
投入口から機体内に向けて投入された券媒体を受け取る受取手段と、
前記受取手段により受け取られた券媒体から改札処理に必要な改札情報に対応した二次元コードを光学的に読み取る第２読取手段と、
前記第１読取手段または前記第２読取手段により読み取られた二次元コードに基づいて改札処理を行う改札手段と、
を備えたことを特徴とする改札機。
【請求項２】
機体外の所定の読取エリアにおいて、改札処理に必要な改札情報に対応した二次元コードを光学的に読み取る読取手段と、
前記読取手段により読み取られた二次元コードに基づいて改札処理を行う改札手段と、
前記改札手段による改札処理結果に対応する所定情報を印刷した券媒体を発券する発券手段と、
を備えたことを特徴とする改札機。
【請求項３】
投入口から投入された券媒体を受け取る受取手段と、
前記受取手段により受け取られた券媒体から改札処理に必要な改札情報に対応した二次元コードを光学的に読み取る読取手段と、
前記読取手段により読み取られた二次元コードに基づいて改札処理を行う改札手段と、
前記改札手段による改札処理結果に対応する所定情報を前記券媒体に印刷する印刷手段と、
前記印刷手段により所定情報を印刷した前記券媒体を排出口から排出する排出手段と、
を備えたことを特徴とする改札機。
【請求項４】
さらに、前記読取手段により読取可能な所定の読取エリアにおいて、前記受取手段により受け取られた券媒体の搬送を停止または搬送速度を減速させる搬送制御手段を備えたことを特徴とする請求項３に記載の改札機。
【請求項５】
さらに、前記受取手段により受け取られた券媒体の表裏を判別する判別手段と、
前記判別手段による判別結果に基づき、二次元コードを有する面が前記読取手段と対向するように券媒体の表裏を反転する反転手段と、
を備えたことを特徴とする請求項３に記載の改札機。
【請求項６】
改札処理に必要な改札情報に対応した二次元コードを光学的に読み取る読取手段と、
前記読取手段により読み取られた二次元コードに含まれる識別情報に基づき、対応する最新の予約情報に基づいて改札処理を行う改札手段と、
前記改札手段による改札処理結果に対応する所定情報を印刷する印刷手段と、
前記印刷手段により所定情報を印刷した券媒体を排出口から排出する排出手段と、
を備えたことを特徴とする改札機。
【請求項７】
機体外の所定の読取エリアにおいて、改札処理に必要な改札情報に対応した二次元コードを光学的に読み取り、
読み取られた二次元コードに基づいて改札処理を行い、
この改札処理結果に対応する所定情報を印刷した券媒体を発券する、
ことを特徴とする改札方法。
【請求項８】
投入口から投入された券媒体を受け取り、
受け取った券媒体から改札処理に必要な改札情報に対応した二次元コードを光学的に読み取り、
読み取られた二次元コードに基づいて改札処理を行い、
この改札処理結果に対応する所定情報を前記券媒体に印刷し、
所定情報を印刷した前記券媒体を排出口から排出する、
ことを特徴とする改札方法。
【請求項９】
改札処理に必要な改札情報に対応した二次元コードを光学的に読み取り、
前記読取手段により読み取られた二次元コードに含まれる識別情報に基づいて対応する最新の予約情報を検索し、
該当する予約情報に基づいて改札処理を行い、
この改札処理結果に対応する所定情報を印刷し、
所定情報を印刷した券媒体を排出口から排出する、
ことを特徴とする改札方法。
【発明の詳細な説明】
【技術分野】
【０００１】
この発明は、改札機及び改札方法に係り、特に、改札情報に対応したＱＲコードなどの二次元コードに基づいて改札処理を行う改札機及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。また、改札処理において改札情報に基づき、運賃不足、期限切れ、区間外乗車、あるいは、券媒体からの改札情報の読取エラー及び券媒体への改札情報の書込エラー等の理由から通行を許可しない旨の判定に基づき、改札機は、改札通路を閉鎖して利用者の通行を阻止する。
【０００３】
最近では、複数枚の券媒体に対応した改札機も実用化されている。このような改札機は、１人の利用者から投入される複数枚の磁気式の券媒体を受け取り、各券媒体に記憶された改札情報に基づいて、利用者の通行の可否を総合的に判定し、取り込んだ券媒体を必要に応じて返却または回収する。
【０００４】
さらに近年では、磁気式の券媒体以外にも無線式の券媒体を取り扱う改札機も実用化されている。このような改札機は、磁気の券媒体による改札処理に加え、無線式の券媒体による改札処理を行う。つまり、このような改札機は、無線式の券媒体と交信し、無線式の券媒体から改札情報に基づいて、利用者の通行の可否を判定する。
【０００５】
一方で、改札情報に対応したバーコードを印刷した券媒体を用いて改札処理を行う改札機も提案されている（例えば、特許文献１及び特許文献２参照）。これらの改札機によれば、光学的にバーコードを読み取る装置を備えており、利用者によって翳された券媒体からバーコードを読み取って対応する改札情報に基づいて改札処理を行うものである。
【特許文献１】特開平６−１５００９４号公報
【特許文献２】特許平９−０６９１７４号公報
【発明の開示】
【発明が解決しようとする課題】
【０００６】
上述した改札機のうち、無線式の券媒体及び磁気式の券媒体に対応可能な改札機では、異なる２つの方式での改札処理を可能とするために、装置全体のコストの増大を招いている。
【０００７】
また、バーコードが印刷された券媒体に対応可能な改札機では、読取装置に翳された券媒体からバーコードを読み取り、改札処理を行うが、その際、改札処理結果に対応して必要な情報を券媒体に書き込むことが不可能である。例えば、改札処理を行った結果、利用者の通過を許可する旨の判定がなされた際、券媒体に入場記録や出場記録を書き込むことができず、不正使用されるおそれがある。また、予約情報に変更があった場合、券媒体への最新の情報（乗車便名や座席番号などの情報）の印刷ができず、改札処理の混乱を招くおそれがあるほか、利用者に対する利便性の低下を招くおそれがある。
【０００８】
この発明は、上述した問題点に鑑みなされたものであって、その目的は、情報量の増大に対応可能であり、しかも、装置全体の低コスト化及び利用者に対する利便性の向上を実現することが可能な改札機及び改札方法を提供することにある。
【課題を解決するための手段】
【０００９】
この発明の第１の態様による改札機は、
機体外の所定の読取エリアにおいて、改札処理に必要な改札情報に対応した二次元コードを光学的に読み取る第１読取手段と、
投入口から機体内に向けて投入された券媒体を受け取る受取手段と、
前記受取手段により受け取られた券媒体から改札処理に必要な改札情報に対応した二次元コードを光学的に読み取る第２読取手段と、
前記第１読取手段または前記第２読取手段により読み取られた二次元コードに基づいて改札処理を行う改札手段と、
を備えたことを特徴とする。
【００１０】
この発明の第２の態様による改札機は、
機体外の所定の読取エリアにおいて、改札処理に必要な改札情報に対応した二次元コードを光学的に読み取る読取手段と、
前記読取手段により読み取られた二次元コードに基づいて改札処理を行う改札手段と、
前記改札手段による改札処理結果に対応する所定情報を印刷した券媒体を発券する発券手段と、
を備えたことを特徴とする。
【００１１】
この発明の第３の態様による改札機は、
投入口から投入された券媒体を受け取る受取手段と、
前記受取手段により受け取られた券媒体から改札処理に必要な改札情報に対応した二次元コードを光学的に読み取る読取手段と、
前記読取手段により読み取られた二次元コードに基づいて改札処理を行う改札手段と、
前記改札手段による改札処理結果に対応する所定情報を前記券媒体に印刷する印刷手段と、
前記印刷手段により所定情報を印刷した前記券媒体を排出口から排出する排出手段と、
を備えたことを特徴とする。
【００１２】
この発明の第４の態様による改札方法は、
機体外の所定の読取エリアにおいて、改札処理に必要な改札情報に対応した二次元コードを光学的に読み取り、
読み取られた二次元コードに基づいて改札処理を行い、
この改札処理結果に対応する所定情報を印刷した券媒体を発券する、
ことを特徴とする。
【００１３】
この発明の第５の態様による改札方法は、
投入口から投入された券媒体を受け取り、
受け取った券媒体から改札処理に必要な改札情報に対応した二次元コードを光学的に読み取り、
読み取られた二次元コードに基づいて改札処理を行い、
この改札処理結果に対応する所定情報を前記券媒体に印刷し、
所定情報を印刷した前記券媒体を排出口から排出する、
ことを特徴とする。
【００１４】
この発明の第６の態様による改札方法は、
改札処理に必要な改札情報に対応した二次元コードを光学的に読み取り、
前記読取手段により読み取られた二次元コードに含まれる識別情報に基づいて対応する最新の予約情報を検索し、
該当する予約情報に基づいて改札処理を行い、
この改札処理結果に対応する所定情報を印刷し、
所定情報を印刷した券媒体を排出口から排出する、
ことを特徴とする。
【発明の効果】
【００１５】
この発明によれば、情報量の増大に対応可能であり、しかも、装置全体の低コスト化及び利用者に対する利便性の向上を実現することが可能な改札機及び改札方法を提供することができる。
【発明を実施するための最良の形態】
【００１６】
以下、この発明の一実施の形態に係る改札機、及び、改札方法について図面を参照して説明する。
【００１７】
まず、この実施の形態に係る改札システムの概要について説明する。
【００１８】
図１に示すように、鉄道会社や航空会社などのセンターサーバは、例えば、Ｗｅｂ予約サーバを介して利用者個人のパーソナルコンピュータや携帯電話などの携帯端末機器に接続可能な環境下にあるものとする。また、センターサーバは、例えば、発着地（ここでは各駅）毎に設置された駅予約サーバを介して係員端末に接続可能な環境下にあるものとする。さらに、センターサーバには、利用者個人のＩＤ番号を管理するＩＤ管理サーバや、発着地（ここでは各駅）毎に設置された監視盤を介して改札機などと接続されている。
【００１９】
利用便の予約は、利用者個人の携帯端末機器やパーソナルコンピュータなどからインターネットを経由して行うことが可能である。このとき、例えば、予め登録されていた利用者からのＩＤ番号に基づいて予約が可能であるか否かが判断され、予約可能であれば、利用日時や利用便などの予約情報を受け付け、空席状況などと照らし合わせて予約の受け付けが可能であれば、予約を完了する。また、駅や空港等の係員端末からも利用便の予約は可能である。予約された予約情報は、Ｗｅｂ予約サーバや駅予約サーバを経由して、センターサーバで管理される。
【００２０】
利用者の操作によってなされた予約については、予約を完了した時点で利用者個人の携帯端末機器やパーソナルコンピュータなどに完了した予約情報が送信され、これらを介して内容を確認することが可能である。また、このとき、予約情報に基づき、改札処理に必要な改札情報に対応した二次元コードも取得可能である。この二次元コードは、縦及び横の二方向に情報を持つことが可能であり、情報量の増大に対応可能である。
【００２１】
利用者は、取得した二次元コードを携帯端末機器に表示させることが可能であり、また、パーソナルコンピュータに接続されているプリンタにより取得した二次元コードを印刷することも可能である。この実施の形態に係る改札機は、後述するように、これらの携帯端末機器に表示された二次元コードやプリンタによって普通紙などに印刷された二次元コードに基づき、改札処理を可能とするものである。
【００２２】
また、係員の操作によってなされた予約については、予約を完了した時点で係員端末に完了した予約情報が送信され、これを介して内容を確認することが可能である。また、このとき、予約情報に基づき、改札処理に必要な改札情報に対応した二次元コードも取得可能である。
【００２３】
係員は、係員端末により取得した二次元コードを専用の券媒体に印刷し、二次元コードを有した券媒体を利用者に発券する。この実施の形態に係る改札機は、後述するように、専用の券媒体に印刷された二次元コードに基づき、改札処理を可能とするものである。
【００２４】
次に、この実施の形態に係る改札機により改札処理が可能な媒体について説明をする。すなわち、改札処理可能な媒体としては、改札処理に必要な改札情報に対応した二次元コードが印刷された専用の券媒体、二次元コードが印刷された紙類、二次元コードが表示された携帯端末機器などである。この改札情報としては、個人ＩＤ、発券番号、予約番号、購入金額、有効期間、有効区間、乗車便名、発着時刻、座席番号などの情報が含まれている。
【００２５】
次に、図１に示した改札システムに適用可能な改札機の構成について説明する。図２に示すような改札機は、例えば、２台１組として設置され、２台の改札機の間に利用者が通行可能な改札通路が形成される。
【００２６】
すなわち、図２に示すように、改札機は、筐体１を備えている。筐体１は、投入口２、排出口３、表示灯４、表示部５、スキャナ６、スピーカ７、ドア９０、複数の通過検知器９などを備えている。
【００２７】
投入口２は、筐体１における通行方向上流側に設けられ、施設内への入場時または施設内からの出場時に投入された券媒体を受け取り可能であり、受取手段として機能する。投入口２の近傍には、券媒体の投入を阻止するためのシャッタが設けられている。また、排出口３は、筐体１における通行方向下流側に設けられ、投入口２から受け取った券媒体を必要に応じて排出可能であり、排出手段として機能する。
【００２８】
表示灯４は、小児券、無効券、または異常券の投入や、機器の異常など装置の動作状態を報知する。表示部５は、利用者の通行方向に対して筐体１における排出口３の前方に配置され、利用者や係員などに対して種々の案内情報を表示する。
【００２９】
スキャナ６は、利用者によって翳された紙類に印刷された二次元コード、あるいは、利用者によって翳された携帯端末機器に表示された二次元コードを光学的に読み取るものであり、読取手段または第１読取手段として機能する。
【００３０】
スピーカ７は、利用者や係員などに対して種々の案内情報に対応した音声を出力する。ドア９０は、筐体１における改札通路側の側面の両端部に配置され、利用者の通行を制御するために開閉可能に構成されている。このドア９０は、利用者の通行を可能とする場合に改札通路を開放し、また、利用者の通行を阻止する場合に改札通路を閉鎖する。複数の通過検知器９は、筐体１の改札通路側における側面部に配置され、利用者の通行を検知するための出力信号を出力する。
【００３１】
図３Ａに示すように、改札機の内部機構において、投入口２と排出口３との間には、投入口２から投入された券媒体を矢印ａで示した順方向に沿って排出口３に向けて搬送するための搬送機構２１が配置されている。この搬送機構２１は、各種搬送ベルト及び搬送ローラなどで規定される各種搬送路を有している。すなわち、搬送機構２１は、投入口２と排出口３との間に規定された主搬送路２１Ａ、主搬送路２１Ａから分岐した分岐搬送路２１Ｂ及び集札用搬送路２１Ｃを有している。このような構成の搬送機構２１は、投入口２から投入された券媒体を受け取る受取手段、必要に応じて券媒体を排出口３から排出する排出手段としての機能も有している。
【００３２】
主搬送路２１Ａには、投入口２から排出口３に沿い、整列部２２、表裏判別部２３、反転部２６、スキャナ２８、印刷部３１などが順に設けられている。また、分岐搬送路２１Ｂ上には、発券部２７が設けられている。集札用搬送路２１Ｃ上の先には、集札部４１が設けられている。
【００３３】
さらに、搬送機構２１は、各搬送路の分岐部に振分ゲートを備えている。すなわち、主搬送路２１Ａと反転部２６との分岐部には、振分ゲート４０Ａが配置されている。主搬送路２１Ａと集札用搬送路２１Ｃとの分岐部には、振分ゲート４０Ｂが配置されている。
【００３４】
整列部２２は、投入口２から投入された券媒体を所定の姿勢に整列して搬送方向下流側に向けて送出する。表裏判別部２３は、投入された券媒体の表裏を判別するものであり、判別手段として機能する。例えば、券媒体の二次元コードが印刷された面を表面とし、表裏判別部２３は、券媒体の二次元コードを検出して券媒体の表裏を判別する。あるいは、例えば、表裏が異なる色の券媒体を用いた場合、色判別センサを備えて構成された表裏判別部２３を適用することにより、券媒体の表裏を判別することが可能である。
【００３５】
反転部２６は、表裏判別部２３による判別結果に基づき、表裏判別部２３を通過した券媒体の二次元コードを有する面が下を向いている状態の場合（すなわち、スキャナ６と二次元コードとが対向しない状態の場合）、搬送路２６ａに券媒体をその搬送方向先頭側端部から取り込んだ後に、搬送路２６ｂを介してその搬送方向後方側端部から主搬送路２１Ａへ放出することにより、券媒体の表裏を反転するものであり、反転手段として機能する。
【００３６】
つまり、表裏判別部２３を通過した時点で表面を二次元コードを上に向けた状態の券媒体はそのまま反転部２６に導かれることなく通過し、裏面を上に向けた状態の券媒体は反転部２６に導かれて表裏反転される。したがって、反転部２６を通過した全ての券媒体は、その二次元コードとスキャナ６とが対向するような姿勢で搬送されることになる。
【００３７】
スキャナ２８は、利用者によって投入された券媒体に印刷された二次元コードを光学的に読み取るものであり、読取手段または第２読取手段として機能する。
【００３８】
主搬送路２１Ａ上に設けられたストッパ２９は、スキャナ２８により二次元コードを読取可能な所定の読取エリアにおいて、スキャナ２８と券媒体の二次元コードとが対向する状態で券媒体の搬送を停止するものであり、搬送制御手段として機能する。すなわち、図３Ｂにより具体的に示すように、ストッパ２９は、スプリング３０Ａにより付勢されている一方で、ソレノイド３０Ｂに連結されている。通常、ストッパ２９は、スプリング３０Ａによって付勢されており、主搬送路２１Ａから退避した位置に配置されている。ソレノイド３０Ｂに電流を供給することにより、ストッパ２９が駆動され、主搬送路２１Ａ上を搬送される券媒体の搬送を停止させる。これにより、スキャナ２８による二次元コードの読取精度を安定化且つ向上させることが可能となる。
【００３９】
印刷部３１は、主搬送路２１Ａを搬送された券媒体に対して必要に応じてその表面に日時や改札場所名などの所定の情報、また、乗車便名や座席番号などの予約情報、さらには、入場記録や出場記録に対応した二次元コードなどの改札情報を印刷するものであり、印刷手段として機能する。
【００４０】
発券部２７は、ロール紙Ｔ１を所定のサイズに切断し発券する、あるいは、所定のサイズに予めカットされた券媒体Ｔ２を繰り出して発券するものであり、発券手段として機能する。
【００４１】
投入口２の近傍には、投入口２への券媒体の投入を検知する検知器５１が設けられている。排出口３の近傍には、排出口３からの券媒体の抜き取りを検知する検知器５２が設けられている。また、各搬送路上には、複数の検知器Ｓ、…が配置され、搬送される券媒体の位置、券媒体の有無などを検知する。
【００４２】
これら搬送路上の所定位置において券媒体を検知する検知器は、光学センサによって構成されている。例えば、これら検知器は、搬送路を介して互いに対向配置された一対の発光素子と受光素子とによって構成された透過型光学センサであっても良いし、搬送路に向けて光を発光する発光素子と、搬送路上の券媒体からの反射光を受光する受光素子とによって構成された反射型光学センサであっても良い。
【００４３】
図４に示すように、改札機は、装置全体の制御を司るＣＰＵ２００を備えている。このＣＰＵ２００は、券媒体が有する改札情報に基づいて改札処理を行う改札手段及び改札機を構成する各機構の駆動を制御する制御手段として機能する。
【００４４】
このＣＰＵ２００には、制御プログラムを記憶しているＲＯＭ２０１、券媒体から読み取った情報を記憶するとともに制御プログラムのバッファとして情報を記憶するＲＡＭ２０２、運賃情報等を記録している運賃メモリ２０３、投入された券媒体から二次元コードを読み取るスキャナ２８を制御するスキャナ制御回路２０４と、翳された紙類や携帯端末機器から二次元コードを読み取るスキャナ６を制御するスキャナ制御回路２０５などが接続されている。このＣＰＵ２００は、スキャナ６及びスキャナ２８を介して読み取った情報を基に通過の可否を判定する改札処理を行う。
【００４５】
また、ＣＰＵ２００には、振り分けゲート４０Ａ、４０Ｂを制御する振り分け制御回路２０６、印刷部３１を制御する印刷制御回路２０７、券媒体を保留するためのストッパ２９を制御するストッパ制御回路２０８、反転部２６を駆動する反転制御回路２０９、各種センサからの出力信号を基に券媒体の搬送状況を検知する検知回路２１０、券媒体を搬送する搬送機構２１を駆動するメインモータ６０を制御するモータ駆動回路２１１、券媒体の投入を阻止するシャッタ７０を駆動するシャッタ駆動回路２１２などが接続されている。
【００４６】
ここで、モータ駆動回路２１１は、スキャナ２８により二次元コードを読取可能な所定の読取エリアにおいて、スキャナ２８と券媒体の二次元コードとが対向する状態で券媒体の搬送速度を減速させるようにメインモータ６０の駆動を制御するものであり、搬送制御手段として機能する。
【００４７】
すなわち、スキャナ２８による二次元コードの読取精度向上などのために、ストッパ２９により券媒体の搬送を停止させるのに代えて、検知器Ｓ１によりタイミングを取り、メインモータ６０の送り量にて読取エリアに対応した所定の位置で券媒体の搬送を停止させたり、または、券媒体を停止させずに搬送速度を減速させたりしても良い。この場合、読取エリアに搬送される券媒体の搬送速度は、他の位置を搬送される券媒体の通常の搬送速度Ｖ１（ｍｍ／ｓ）よりも低速度Ｖ２（ｍｍ／ｓ）に設定される（Ｖ１＞Ｖ２）。このような構成であっても、スキャナ２８による二次元コードの読取精度を安定化且つ向上させることが可能となる。
【００４８】
さらに、ＣＰＵ２００には、発券部２７のロール紙Ｔ１を駆動するモータ６１を制御するモータ駆動回路２１３、ロール紙Ｔ１を所定のサイズに切断するカッター６３を駆動するカッター制御回路２１４、発券部２７のスタッカ６４から券媒体Ｔ２を１枚ずつ繰り出す繰出ローラ及び搬送ローラを駆動するモータ６２を制御するモータ駆動回路２１５、表示部５を制御する表示制御回路２２０、表示灯４を制御する表示灯駆動制御回路２２１、音声案内を行うスピーカ７を制御する音声制御回路２２２、通過検知器９の出力から利用者の通過を検知する検知回路２２３、ドア９０を制御するドア制御回路２２４、装置の各種設定を変更するための操作盤８を制御する操作盤制御回路２２５などが接続されている。
【００４９】
また、ＣＰＵ２００は、通信制御部２３０を介してホストコンピュータ（監視盤）１００に接続されている。
【００５０】
次に、上述した改札機に適用可能な改札処理方法について説明する。
【００５１】
すなわち、機体外に設置されたスキャナ６は、機体外に所定の読取エリアを有している。このスキャナ６によれば、紙類に印刷された二次元コードあるいは携帯端末機器に表示された二次元コードを読み取ることが可能であり、改札機のＣＰＵ２００は、このスキャナ６によって読み取られた二次元コードに基づいて改札処理を行う。このような場合、スキャナ６に翳された紙類や携帯端末機器には、入場記録や出場記録など改札処理の結果に対応した必要な情報を書き込む（あるいは印刷する）ことが不可能である。また、予約情報に変更があった場合、最新の予約情報に基づく情報を印刷することが不可能である。さらに、携帯端末機器を用いて改札処理を行った場合、飛行機や列車に搭乗した際に、電源を「切」にする必要があるため、携帯端末機器の画面に座席番号や乗車便などの情報を表示することができず、機内あるいは車内で予約情報を確認することができない。このため、利用者に対するサービス性の低下を招くだけでなく、係員による検札も実施不可能となる。
【００５２】
そこで、このようなスキャナ６を介した改札処理を行った場合、必要に応じて、発券部２７及び印刷部３１を制御して、便名や座席番号などの他に、入場記録など改札処理の結果に対応した必要な情報を印刷した券媒体を発券する。このとき、改札処理の結果に対応した情報は、二次元コードとして印刷しても良い。
【００５３】
また、このようなスキャナ６を介して、予約情報に対応した二次元コードに基づいて改札処理を行う場合、読み取った二次元コードに含まれる識別情報例えば個人ＩＤや予約番号などに基づき、対応する予約情報をセンターサーバに問い合わせる。センターサーバでは、問い合わせの識別情報に基づき該当する予約情報を検索し、対応する予約情報を改札機に返信する。このとき、センターサーバは、予約情報に変更がある場合には最新の予約情報を改札機に返信する。そして、改札機では、取得した最新の予約情報に基づいて改札処理を行う。予約情報に変更がある場合には、変更後の予約情報に基づき、発券部２７及び印刷部３１を制御して、変更後の便名や座席番号などの情報を含む改札処理の結果に対応した必要な情報を印刷した券媒体を発券する。
【００５４】
これにより、利用者に対するサービス性及び利便性を向上することができる。
【００５５】
一方で、機体内に設置されたスキャナ２８は、機体内の主搬送路２１Ａ上に沿って所定の読取エリアを有している。このスキャナ２８によれば、券媒体に印刷された二次元コードを読み取ることが可能であり、改札機のＣＰＵ２００は、このスキャナ２８によって読み取られた二次元コードに基づいて改札処理を行う。
【００５６】
このような場合、スキャナ２８を通過した券媒体には、印刷部３１を介して必要に応じて入場記録や出場記録など改札処理の結果に対応した必要な情報を印刷することが可能である。また、予約情報に変更があった場合でも、印刷部３１により最新の予約情報に基づく情報を印刷することが可能である。
【００５７】
次に、図５Ａ及び図５Ｂに示したフローチャートに基づき、より具体的な改札処理方法について説明する。
【００５８】
すなわち、図５Ａに示すように、ＣＰＵ２００は、スキャナ制御回路２０５を制御して、スキャナ６に二次元コードが記載させた媒体がかざされたか、あるいは、二次元コードが印刷された券媒体が投入口から投入されたか否かを判定する（ＳＴ１）。このとき、スキャナ６に翳すことが可能な媒体としては、先に説明した通り、改札情報に対応した二次元コードが印刷された紙類や二次元コードを表示した携帯端末機器などである。図６には、スキャナ６に翳すことが可能な媒体として、二次元コードを表示した携帯電話が図示されている。
【００５９】
ＣＰＵ２００は、スキャナ６に媒体が翳されたと判定したのに基づき（ＳＴ１、Ｎ）、スキャナ制御回路２０５を制御してスキャナ６により二次元コードの読取処理が行われる。そして、ＣＰＵ２００は、スキャナ６により二次元コードの読取処理を行ったのに基づいて（ＳＴ２、Ｙ）、シャッタ７０を駆動して投入口２を閉鎖して他の券媒体の投入を禁止する（ＳＴ３）とともに、スキャナ制御回路２０５を制御してスキャナ６による他の媒体の読取処理を禁止する（ＳＴ４）。
【００６０】
そして、ＣＰＵ２００は、スキャナ６により読み取られた二次元コードに基づいて利用者の改札通路の通過の可否を判定する改札処理を行う（ＳＴ５）。ＣＰＵ２００は、改札処理の結果、利用者の通過を許可する判定を行った場合には（ＳＴ５、Ｙ）、ドア制御回路２２４を制御してドア９０を駆動し、改札通路を開放する（ＳＴ６）とともに、表示制御回路２２０を制御して表示部５に案内画面を表示する（ＳＴ７）。
【００６１】
このように、機体外の読取エリアにて媒体から読み取った二次元コードに基づき改札処理を行う場合、ＣＰＵ２００は、機体内から所定の情報が印刷された券媒体を発券するか否かを判断する（ＳＴ８）。そして、ＣＰＵ２００は、券媒体を発券すると判断したのに基づき（ＳＴ８、Ｙ）、モータ駆動回路２１３を制御してモータ６１を駆動し、ロール紙Ｔ１を繰り出した後にカッター制御回路２１４を制御して所定のサイズに切断した券媒体を発券する（ＳＴ９）。あるいは、ＣＰＵ２００は、券媒体を発券する際には、モータ駆動回路２１５を制御して予め所定のサイズに切断されスタッカ６４に堆積されている券媒体を発券する（ＳＴ９）。
【００６２】
その後、ＣＰＵ２００は、モータ駆動回路２１１を制御してメインモータ６０を駆動し、発券された券媒体を主搬送路２１Ａに沿って搬送する（ＳＴ１０）。そして、ＣＰＵ２００は、印刷制御回路２０７を制御して印刷部３１を駆動し、必要な情報を搬送されている券媒体に印字する（ＳＴ１１）。そして、ＣＰＵ２００は、券媒体をさらに主搬送路２１Ａに沿って搬送方向下流側に向けて搬送し、排出口３から排出した（ＳＴ１２）後、メインモータ６０の駆動を停止する（ＳＴ１３）。
【００６３】
一方、ステップＳＴ５において、ＣＰＵ２００は、改札処理の結果、利用者の通過を許可しないと判定を行った場合には（ＳＴ５、Ｎ）、ドア制御回路２２４を制御してドア９０を駆動し、改札通路を閉鎖する（ＳＴ１４）し、表示灯駆動制御回路２２１を制御して表示灯４を点灯させ（ＳＴ１５）、音声制御回路２２２を制御してスピーカ７により音声案内を行い（ＳＴ１６）、表示制御回路２２０を制御して表示部５に案内画面を表示する（ＳＴ１７）。
【００６４】
ＣＰＵ２００は、排出口３から券媒体を排出した際、検知回路２１０を介して検知器５２からの出力信号に基づき、発券した券媒体が抜き取られたことを検知し（ＳＴ１８、Ｙ）、且つ、検知回路２２３を介して通過検知器９からの出力信号に基づき、利用者が改札通路から装置外に出たことを検知したのに基づいて（ＳＴ１９、Ｙ）、表示灯４を点灯させていた場合には消灯し（ＳＴ２０）、スピーカ７により音声案内を行っていた場合には案内を終了し（ＳＴ２１）、表示部５により案内画面を表示していた場合には案内を終了し（ＳＴ２２）、ドア９０を閉鎖していた場合にはドア９０を開放する（ＳＴ２３）。また、ＣＰＵ２００は、シャッタ７０を開放し、投入口２への券媒体の投入を可能とする（ＳＴ２４）とともに、スキャナ６による読取処理を可能とする（ＳＴ２５）。
【００６５】
なお、ＣＰＵ２００は、ステップＳＴ８において、券媒体を発券する必要がないと判断したのに基づき（ＳＴ８、Ｎ）、ステップＳＴ１９以下の処理を行う。そして、ＣＰＵ２００は、ステップＳＴ２５までの処理を終了した後、次客の利用を可能とするためにステップＳＴ１に復帰する。
【００６６】
これに対して、ステップＳＴ１において、ＣＰＵ２００は、検知回路２１０を介して検知器５１からの出力信号に基づき、二次元コードが印刷された券媒体が投入口から投入されたと判定した場合（ＳＴ１、Ｙ）、図５Ｂに示すように、投入された券媒体を受け取った後、シャッタ７０を駆動して投入口２を閉鎖して他の券媒体の投入を禁止する（ＳＴ２６）とともに、スキャナ制御回路２０５を制御してスキャナ６による他の媒体の読取処理を禁止する（ＳＴ２７）。
【００６７】
そして、ＣＰＵ２００は、モータ駆動回路２１１を制御してメインモータ６０を駆動し、投入された券媒体を主搬送路２１Ａに沿って搬送する（ＳＴ２８）。投入された媒体は、整列部２２にて所定の姿勢に整位され（ＳＴ２９）、その後、表裏判別部２３にてその表裏が判別される（ＳＴ３０）。ＣＰＵ２００は、投入された券媒体が表（二次元コードが印刷された面）をスキャナ２８と対向可能な姿勢で搬送されていると判定した場合には（ＳＴ３０、Ｙ）、そのままの姿勢で券媒体を後段に搬送する。
【００６８】
これに対して、ＣＰＵ２００は、投入された券媒体が裏をスキャナ２８と対向するような姿勢で搬送されていると判定した場合には（ＳＴ３０、Ｎ）、振分制御回路２０６を制御して振り分け４０Ａを駆動し反転部２６に券媒体を搬送し、その後、反転部２６から主搬送路２１Ａに券媒体を戻すことにより、券媒体の表裏を反転する（ＳＴ３１）。これにより、スキャナ２８の読取エリアに券媒体が搬送される際は、投入した券媒体の向きにかかわらず、常に二次元コードが印刷された面をスキャナ２８により読取可能な姿勢になっている。
【００６９】
そして、ＣＰＵ２００は、スキャナ制御回路２０４を制御してスキャナ２８により読取エリアに到達した券媒体から二次元コードを読み取る（ＳＴ３２）。このとき、ＣＰＵ２００は、必要に応じて、ストッパ制御回路２０８を制御してストッパ２９により搬送されている券媒体の搬送を停止させても良いし、モータ駆動回路２１１を制御してメインモータ６０により券媒体の搬送速度を減速させても良い。
【００７０】
そして、ＣＰＵ２００は、スキャナ２８により読み取られた二次元コードに基づいて利用者の改札通路の通過の可否を判定する改札処理を行う（ＳＴ３３）。ＣＰＵ２００は、改札処理の結果、利用者の通過を許可する判定を行った場合には（ＳＴ３３、Ｙ）、ドア制御回路２２４を制御してドア９０を駆動し、改札通路を開放する（ＳＴ３４）とともに、表示制御回路２２０を制御して表示部５に案内画面を表示する（ＳＴ３５）。
【００７１】
このように、機体内の読取エリアにて媒体から読み取った二次元コードに基づき改札処理を行う場合、ＣＰＵ２００は、投入された券媒体に所定の情報を印刷する必要があるか否かを判断する（ＳＴ３６）。そして、ＣＰＵ２００は、券媒体に印刷すると判断したのに基づき（ＳＴ３６、Ｙ）、印刷制御回路２０７を制御して印刷部３１を駆動し、必要な情報を搬送されている券媒体に印字する（ＳＴ３７）。なお、ＣＰＵ２００は、券媒体に印刷する必要がないと判断したのに基づいて（ＳＴ３６、Ｎ）、印刷部３１を介した印刷処理を施すことなく、券媒体を搬送方向下流側に向けて搬送する。
【００７２】
そして、ＣＰＵ２００は、印刷部３１を通過した券媒体が排出するつまり利用者に返却する必要がある排出券であるか否かを判断する（ＳＴ３８）。ＣＰＵ２００は、排出券であると判断したのに基づき（ＳＴ３８、Ｙ）、券媒体をさらに主搬送路２１Ａに沿って搬送方向下流側に向けて搬送し、排出口３から排出した（ＳＴ３９）後、メインモータ６０の駆動を停止する（ＳＴ４０）。
【００７３】
一方、ＣＰＵ２００は、排出券ではないと判断したのに基づき（ＳＴ３８、Ｎ）、券媒体をさらに主搬送路２１Ａに沿って搬送方向下流側に向けて搬送し、振分制御回路２０６を制御して振り分けゲート４０Ｂを駆動し、券媒体を集札用搬送路２１Ｃに誘導し、集札部４１に集札した（ＳＴ４１）後、メインモータ６０の駆動を停止する（ＳＴ４２）。
【００７４】
一方、ステップＳＴ３３において、ＣＰＵ２００は、改札処理の結果、利用者の通過を許可しないと判定を行った場合には（ＳＴ３３、Ｎ）、ドア制御回路２２４を制御してドア９０を駆動し、改札通路を閉鎖する（ＳＴ４３）し、表示灯駆動制御回路２２１を制御して表示灯４を点灯させ（ＳＴ４４）、音声制御回路２２２を制御してスピーカ７により音声案内を行い（ＳＴ４５）、表示制御回路２２０を制御して表示部５に案内画面を表示する（ＳＴ４６）。
【００７５】
ＣＰＵ２００は、排出口３から券媒体を排出した際、検知回路２１０を介して検知器５２からの出力信号に基づき、券媒体が抜き取られたことを検知し（ＳＴ４７、Ｙ）、且つ、検知回路２２３を介して通過検知器９からの出力信号に基づき、利用者が改札通路から装置外に出たことを検知したのに基づいて（ＳＴ４８、Ｙ）、表示灯４を点灯させていた場合には消灯し（ＳＴ２０）、スピーカ７により音声案内を行っていた場合には案内を終了し（ＳＴ２１）、表示部５により案内画面を表示していた場合には案内を終了し（ＳＴ２２）、ドア９０を閉鎖していた場合にはドア９０を開放する（ＳＴ２３）。また、ＣＰＵ２００は、シャッタ７０を開放し、投入口２への券媒体の投入を可能とする（ＳＴ２４）とともに、スキャナ６による読取処理を可能とする（ＳＴ２５）。
【００７６】
そして、ＣＰＵ２００は、ステップＳＴ２５までの処理を終了した後、次客の利用を可能とするためにステップＳＴ１に復帰する。
【００７７】
以上説明したように、改札情報に対応した二次元コードを読み取って改札処理を行う改札機であって、機体外に読取エリアを有するスキャナと、機体内に読取エリアを有するスキャナとを備えた改札機においては、従来のような高価な無線通信を可能とするリーダ・ライタや複数の磁気処理装置を搭載した異なる２つの方式で改札処理を可能とする装置構成と比較して、装置全体のコストを削減することが可能となる。
【００７８】
また、機体外の読取エリアで二次元コードを読み取った場合、改札処理の結果に応じて、必要な情報を印刷した媒体を発券することにより、利用者の利便性やサービス性を向上することが可能となるとともに、検札等が可能となる。
【００７９】
さらに、機体内の読取エリアで二次元コードを読み取った場合、機体内に投入された券媒体に対して、必要に応じて改札処理の結果に応じた必要な情報を券媒体に印刷することが可能となり、予約情報に変更があった場合には、変更後の予約情報に基づいた最新の情報を印刷することが可能となる。
【００８０】
例えば、図７に示すように、利用者が所持している券媒体に予め乗車日時や乗車区間、乗車便名、座席番号などの他に、改札情報に対応した二次元コードが印刷されていたとする。このような券媒体を改札機に投入する前に、予約情報の変更を行った場合、この券媒体を改札機に投入した際、二次元コードに含まれる識別情報に基づき、対応する最新の予約情報を検索し、該当する予約情報に基づいて改札処理を行い、投入された券媒体に対して改札処理の結果に対応する所定情報ここでは最新の予約情報に基づき変更後の座席番号を印刷処理を施した後、券媒体を排出することが可能となる。
【００８１】
またさらに、機体内の読取エリアで二次元コードを読み取る際には、投入された券媒体の搬送を読取エリアで停止または減速することで、スキャナによる読み取り精度を向上且つ安定化させることが可能となる。
【００８２】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８３】
【図１】図１は、この発明の一実施の形態に係る改札システムの構成を概略的に示す図である。
【図２】図２は、この発明の一実施の形態に係る改札機の外観を概略的に示す斜視図である。
【図３Ａ】図３Ａは、図２に示した改札機に適用可能な内部構造の一例を概略的に示す図である。
【図３Ｂ】図３Ｂは、図３Ａに示した改札機におけるストッパの構造を概略的に示す図である。
【図４】図４は、図２に示した改札機の制御系の構成を概略的に示すブロック図である。
【図５Ａ】図５Ａは、図２に示した改札機に適用可能な改札方法を説明するためのフローチャートである。
【図５Ｂ】図５Ｂは、図２に示した改札機に適用可能な改札方法を説明するためのフローチャートである。
【図６】図６は、携帯端末機器に二次元コードを表示した状態の一例を示す図である。
【図７】図７は、予約情報の変更を行った場合の券媒体の改札処理結果の一例を示す図である。
【符号の説明】
【００８４】
２…投入口  ３…排出口  ４…表示灯  ５…表示部  ６…スキャナ  ７…スピーカ  ９…通過検知器  ２１…搬送機構  ２１Ａ…主搬送路  ２２…整列部  ２３…表裏判別部  ２６…反転部  ２７…発券部  ２８…スキャナ  ２９…ストッパ  ３１…印刷部  ６０…メインモータ  ６３…カッター  ６４…スタッカ  ７０…シャッタ  ９０…ドア
２００…ＣＰＵ  ２０４…スキャナ制御回路  ２０５…スキャナ制御回路
【図１】
2007149012.tif 000003
【図２】
2007149012.tif 000004
【図３Ａ】
2007149012.tif 000005
【図３Ｂ】
2007149012.tif 000006
【図４】
2007149012.tif 000007
【図５Ａ】
2007149012.tif 000008
【図５Ｂ】
2007149012.tif 000009
【図６】
2007149012.tif 000010
【図７】
2007149012.tif 000011